(57)【要約】【課題】圧力作用ポイントの調整が容易にでき、低コストで製造できるボタン変節点規定装置組み込み型の手工具のスイッチ装置を得る。【解決手段】電動手工具のスイッチ装置２であって、スイッチハウジング４内に装着した制御装置５０と、スイッチハウジング４に対して移動自在に設けた押しボタン６とを具え、押しボタン６のスイッチハウジング４に対する押し込み位置に基づいて制御装置５０が電動手工具の駆動モータ５２の回転数を調整するようにし、また掛合素子１２に接合領域１４を設けたボタン変節点規定装置１０を具え、押しボタン６が無負荷位置と最大負荷位置との間の圧力作用ポイントで、掛合領域１４に接触する接触領域２６を有する機械的な抵抗素子２４を設け、圧力作用ポイントで押しボタン６の調整抵抗力が増大するようにしたスイッチ装置２において、接触領域２６をスイッチハウジング４の外側に配置する。【選択図】図２
2004358656.tif 000002
【特許請求の範囲】
【請求項１】
特に、ドリルねじ回し装置またはドリル装置等の電動手工具のスイッチ装置（２）であって、スイッチハウジング（４）内に装着した制御装置（５０）と、前記スイッチハウジング（４）に対して移動自在に設けた押しボタン（６）とを具え、この押しボタン（６）のスイッチハウジング（４）に対する押し込み位置に基づいて制御装置（５０）が電動手工具の駆動モータ（５２）の回転数を調整するようにし、また掛合素子（１２）に接合領域（１４）を設けたボタン変節点規定装置（１０）を具え、押しボタン（６）が無負荷位置と最大負荷位置との間の圧力作用ポイントで、前記掛合領域（１４）に接触する接触領域（２６）を有する機械的な抵抗素子（２４）を設け、この圧力作用ポイントで押しボタン（６）の調整抵抗力が増大するようにしたスイッチ装置において、接触領域（２６）をスイッチハウジング（４）の外側に配置したことを特徴とする電動手工具のスイッチ装置。
【請求項２】
前記接触領域（２６）を押しボタン（６）の内部に形成した請求項１記載の電動手工具のスイッチ装置。
【請求項３】
抵抗素子（２４）を、ばね素子によって構成し、このばね素子の接触領域（２６）が、押しボタン（６）に形成した案内空間（１８）に突出し、かつ少なくとも部分的に回動可能にし、掛合素子（１２）をスイッチハウジング（４）に支持するとともに、前記案内空間（１８）内に移動自在な掛合領域（１４）を前記掛合素子（１２）に設けた請求項２記載の電動手工具のスイッチ装置。
【請求項４】
前記押しボタン（６）に第２案内空間（２２）を形成し、前記掛合領域（１４）が選択的にいずれか一方の案内領域（１８，２２）内で移動可能にした請求項３記載の電動手工具のスイッチ装置。
【請求項５】
前記接触領域（２６）の位置を調整自在にした請求項１乃至４のうちのいずれか一項に記載の電動手工具のスイッチ装置。
【請求項６】
前記接触領域（２６）を、押しボタン（６）に移動自在に設けたばね台座（３０）に保持した抵抗素子（２４）によって移動自在にした請求項５記載の電動手工具のスイッチ装置。
【請求項７】
前記押しボタン（６）に、調整ホイール（４４）によって回転可能なねじ素子（４０）を設け、このねじ素子（４０）を前記ばね台座（３０）に機械的に連結した請求項６記載の電動手工具のスイッチ装置。
【請求項８】
抵抗素子（２４）は後壁（５４）に掛合可能にし、掛合領域（１４）が押しボタン（６）の最大負荷位置で停止するようにした請求項６または７記載の電動手工具のスイッチ装置。
【発明の詳細な説明】
【技術分野】
【０００１】
本発明は、特に、ドリルねじ回し装置またはドリル装置等の電動手工具のスイッチ装置であって、スイッチハウジング内に装着した制御装置と、前記スイッチハウジングに対して移動自在に設けた押しボタンとを具え、この押しボタンのスイッチハウジングに対する押し込み位置に基づいて制御装置が電動手工具の駆動モータの回転数を調整するようにし、また掛合素子に接合領域を設けたボタン変節点規定装置を具え、押しボタンが無負荷位置と最大負荷位置との間の圧力作用ポイントで、前記掛合領域に接触する接触領域を有する機械的な抵抗素子を設け、この圧力作用ポイントで押しボタンの調整抵抗力が増大するようにしたスイッチ装置に関するものである。
【０００２】
このような手工具は、ユーザーが、スイッチ装置の押しボタンをはっきりと分かる圧力作用（押圧力変節）ポイントの近傍まで短い行程にわたり押し込むことができるようにしている。押しボタンのこのポイント位置においては、駆動モータの比較的低い回転数で加工材を穿孔することができる。ドリル先端が確実に加工材に食い込んだ際に、ユーザーは即座に押しボタンに加える押圧力を増大させ、圧力作用ポイントを越えて押し込み、駆動モータの最大回転数で穿孔作業を続行することができる。このようにして、例えば、金属における穴あけ、または脆い表面に形成した皿孔におけるねじ込み穿孔の際に、穿孔を断念することもできる。
【背景技術】
【０００３】
押しボタンに稜線の形式の掛合素子を設け、この押しボタンの移動行程に休止受け部として設けた抵抗素子に掛合させる電動工具用スイッチ装置がある。（例えば、特許文献１参照。）この休止用受け部は、制御装置のスイッチハウジングに保持し、押圧ばねによって、スイッチハウジングに突出する押しボタンの側面に押し付けられる。稜線と休止用受け部とが圧着するとき、押しボタンの稜線が休止用受け部を伴って移動し、駆動モータの回転数を増大させるため、より大きい孔を押しボタンに加えることが必要になる。
【特許文献１】独国特許第３０１６４８８号明細書
【発明の開示】
【発明が解決しようとする課題】
【０００４】
しかし、このスイッチ装置は、装備する装置のための制御装置ならびに押しボタンを、圧力作用ポイントに関して特別に形成しなければならないという欠点がある。とくに、スイッチハウジングの内部を変更する際には、各スイッチ装置毎に変更することが必要となり、比較的少量生産タイプの装置では製造コストが極めて高くなる。
【０００５】
さらに、既知のボタン変節点規定装置は、右回り動作だけではなく、左回り動作でも機能し、目的に合った機能ではなく、むしろ、うっとうしさを感ずるほどである。
【０００６】
したがって、本発明の目的は、従来のボタン変節点規定装置の欠点を解消し、低コストで製造できるボタン変節点規定装置組み込み型の手工具のスイッチ装置を得るにある。
【課題を解決するための手段】
【０００７】
この目的を達成するため、本発明電動手工具のスイッチ装置は、接触領域をスイッチハウジングの外側に配置したことを特徴とし、これにより、抵抗素子と掛合素子との圧着は、スイッチハウジングから離れた位置で生ずることになる。
【発明の効果】
【０００８】
本発明のこの構成によれば、手工具にスイッチ装置の圧力作用ポイントの位置の変更を、スイッチハウジングもしくは制御装置内で行う必要がなく、実現することができる。したがって、大量生産するタイプのスイッチに適用することができ、圧力作用ポイントの位置変更は単にスイッチハウジングの外部で行うため、個別の製造をする必要がなくなる。本発明によれば、少量生産シリーズの手工具でも、圧力作用ポイントを有するスイッチ装置の製造コストを低減することができる。
【発明を実施するための最良の形態】
【０００９】
本発明の好適な実施例においては、接触領域を押しボタンの内部に形成する。この構成によれば、圧力作用ポイントにおける調整抵抗を増大させることが簡単になり、また押しボタンの変更も低コストで行うことができるようになる。
【００１０】
本発明の好適な実施例においては、抵抗素子を、ばね素子によって構成し、このばね素子の接触領域が、無負荷状態では、押しボタンに形成した案内空間に突出し、かつ少なくとも部分的に回動可能にする。さらに、掛合素子をスイッチハウジングに支持するとともに、案内空間内に移動自在な掛合領域を掛合素子に設ける。このようなばね素子は、例えば、板ばねとして構成する。掛合素子は、例えば、手工具を左回り動作に変更する調整レバーとしても機能するようにする。このようにすることによって、圧力作用ポイントの位置調整も一層簡単になり、信頼性も向上する。
【００１１】
好適な実施例においては、押しボタンに、機械的な遮蔽物のない第２案内空間を形成する。これにより、掛合領域は、選択的にいずれか一方の案内領域内で移動可能となる。この構成によれば、回転方向の切り替えを行い、右回り動作および左回り動作のいずれでも掛合領域が対応の案内空間内でそれぞれ案内される。例えば、左回り動作では機械的抵抗素子の作用なしに手工具を動作できるようにする。この構成によれば、双方の案内空間内における掛合領域の各案内は、左回り動作および右回り動作のいずれであっても、作動中に不慮に回転方向が切り替わるのを回避することができる。
【００１２】
好適な実施例においては、接触領域の位置を調整自在にする。この構成によれば、回転数を増大する際により大きい抵抗を生ずる圧力作用ポイントの位置が調整可能になる。この構成によれば、作業員は、加工材を穿孔するに使用する回転数を変化させ、例えば、硬が異なる加工材に適合させ、もしくはある公差範囲に均一化することができる。
【００１３】
とくに好適な実施例においては、接触領域を、押しボタンに移動自在に設けたばね台座に保持した抵抗素子によって移動自在にする。この構成によれば、圧力作用ポイントの位置調整の際に、接触領域のとくに精密な位置決めを行うことができ、また、圧力作用ポイントの正確な固定も可能になる。
【００１４】
好適には、押しボタンに、調整ホイールによって回転可能なねじ素子を設け、このねじ素子をばね台座に機械的に連結する。この構成によれば、ばね素子の接触領域が、一方では案内空間内で段階的ではないまた正確な位置決めを行うことができ、また、他方では調整した位置での保持を確実に行うことができる。機械的な連結は、例えば、調整ホイールをねじ素子に対して差し込んで行うようにすることができる。
【００１５】
好適な実施例においては、抵抗素子は後壁に掛合可能にし、掛合領域が押しボタンの最大負荷位置で停止するようにする。この構成によれば、ボタン変節点規定装置は、掛合素子の掛合領域と抵抗素子の接触素子との間の圧着を、押しボタンの最大負荷位置において初めて生ずるようにするよう調整することができる。このようにして、手工具は、押しボタンの調整抵抗の増大なしに作動させることができる。
【００１６】
次に、図面につき本発明の好適な実施例を説明する。
【実施例１】
【００１７】
図１は、例えば、ドリル装置、ドリルねじ装置またはねじ回し装置のような図示しない手工具に使用するためのスイッチ装置２示す。このスイッチ装置２は、スイッチハウジング４と、このスイッチハウジング４にピン８の周りで回動自在に保持した押しボタン６とを有する。
【００１８】
スイッチハウジング４と押しボタン６との間に、ボタン変節点規定装置１０を設ける。このボタン変節点規定装置１０は、調整レバーとして構成した掛合素子１２を有し、この掛合素子１２の押しボタン側の端部に掛合領域１４を設ける。この掛合素子１２は軸線Ａの周りに回動自在にスイッチハウジング４に設ける。
【００１９】
押しボタン６に、第１案内空間１８を部分的に包囲する第１案内連動部１６と、第２案内空間２２を部分的に包囲する第２案内連動部２０とを形成する。第１案内空間１８は、手工具が右回りするよう掛合領域１４を案内する作用を行う。第２案内空間２２は、手工具が左回りするよう掛合領域１４を案内する。
【００２０】
両側の案内空間１８，２２の間に、板ばねとして構成した抵抗素子２４を固定し、この抵抗素子２４は、無負荷状態では接触領域２６が第１案内空間１８内に突出するよう形成する。第２案内空間２２は、全長にわたり横方向に遮るものがないようにする。
【実施例２】
【００２１】
図２は、他の構成のボタン変節点規定装置１０を有する第２の実施例のスイッチ装置２を示す。対応の素子には図１におけるのと同様の符号を付して示す。
【００２２】
この実施例のボタン変節点規定装置１０では、抵抗素子２４は、第１案内連動部１６の底部２８に向かって、即ち、下側から案内空間１８の方向に突出する。この実施例では、抵抗素子２４は、ばね台座３０に固定する。このばね台座３０には少なくとも一方の側面に案内カム３２（破線で示す）を固定する。この案内カム３２を、押しボタン６の内面に設けた案内収容部３４に掛合させ、押しボタン６に沿って案内されるようにする。
【００２３】
さらに、ばね台座３０には、ねじ孔３８を設け、このねじ孔３８に調整装置４２のねじ素子４０をねじ込む。調整装置４２には、ねじ付きシャフトとしてのねじ素子４０に機械的に連結した調整ホイール４４を設け、この調整ホイール４４が押しボタン６に対して軸線方向に移動不能であるが、回転可能に配置する。調整ホイール４４は、押しボタン６に対して外側から回すことができるように配置する。
【００２４】
図２に作用ピン４６を示し、この作用ピン４６は、押しボタン６の内側側面から突出する支持素子４８に接触し、かつスイッチハウジング４において部分的に移動可能にする。図２に線図的に示すように、作用ピン４６はスイッチハウジング４内にに内蔵した制御装置５０に接続する。作用ピン４６、もしくは押しボタン６の調整に基づく電位差計（ポテンシオメーター）によって異なる大きさの電気的抵抗を生ずる。このような抵抗変動に基づいて、手工具の駆動モータ５２に接続した制御装置５０によって駆動モータ５２の回転数を調整することができる。
【００２５】
本発明スイッチ装置２を有する手工具の初期状態では、押しボタン６は、図１〜図３に示すように無負荷位置をとる。この無負荷位置では、押しボタン６は、スイッチハウジング６から最大限離れた位置にある。同時に、作用ピン４６も、スイッチハウジング４から最大限離れた位置をとり、制御装置５０に対して最大抵抗を示すように作用する。この結果、押しボタン６がこの位置にあるときは、駆動モータ５２の回転数はゼロとなる。
【００２６】
図３から明らかなように、掛合素子１２は、ニュートラルな初期位置をとり、この位置では、掛合領域１４は案内空間１８，２２のいずれにも進入できない。
【００２７】
手工具の動作にあたり、ユーザーは、左回り動作と右回り動作とを切り替える図示しないＬ／Ｒスイッチによって回転方向を選択する。このＬ／Ｒスイッチは、図示しないが、掛合素子１２に機械的に接続する。
【００２８】
右回り動作を選択するとき、掛合領域１４は掛合素子１２とともに右方向の第１案内連動部１６に向かって回動する。この状態で押しボタン６を押し込むことにより、押しボタン６はピン８の周りにスイッチハウジング４に向かって回動し、作用ピン４６が支持素子４８を介してスイッチハウジング４内に移動する。これにより、制御装置５０によって、駆動モータ５２の回転数が増大する。
【００２９】
図４に示すように、掛合領域１４が抵抗素子２４の接触領域２６に圧着または衝合停止すると、押しボタンに加える指圧力に抗する抵抗がはっきりと増大する。ユーザーがこの押し込みポイントに押しボタン６を保持することにより、ほぼ一定の僅かな回転数で加工する加工材に穿孔することができる。
【００３０】
手工具の図示しないツールビットまたは手工具に保持した固定手段が加工材に十分に掛合したとき、ユーザーは指で押しボタン６に加える圧力を一層増大させ、板ばねにより構成し、第１の案内空間１８内に突出する抵抗素子２４が湾曲し、掛合領域１４は接点ポイント２６を移動することができるようになる。このとき、押しボタン６は一層スイッチハウジング４の方向に回動することができ、掛合領域１４が押しボタンの後壁５４に衝合する。この押しボタン６の最大負荷位置では、制御装置５０によって駆動モータ５２の回転数が最大になる。
【００３１】
図５は、左回り動作における押しボタン６の最大負荷位置を示す。この左回り動作の場合、抵抗を生ずる押しボタン６の圧力作用ポイントは不要であり、したがって、第２案内空間２２には全長にわたり断面を阻害するものは設けない。左回り動作で押しボタン６を操作する際には、図５に示す最大負荷位置は、押しボタン６の移動における大きな抵抗力増大なく、図５に示す最大負荷位置に達する。
【００３２】
図３〜図５に示すボタン変節点規定装置１０は、図２に示すスイッチ装置２の実施例に対応する。しかし、図１に示すスイッチ装置２のボタン変節点規定装置１０も上述の原理で同様に機能することができる。
【００３３】
図２の実施例のスイッチ装置２の図１の実施例との大きな違いは、押しボタンの圧力作用ポイントが調整自在であるという点である。
【００３４】
加工材に穿孔する際に、例えば、加工材が柔らかいまたは硬い材質であって、駆動モータ５２の回転数を変化させることが望ましい場合、第１案内空間１８内の抵抗素子２４の接触領域２６を移動することができる。この移動によって、調整後に、掛合素子１２と抵抗素子２４との間の圧力作用位置が、駆動モータ５２の回転数をより一層低下させる、または一層増大する位置に変化する。
【００３５】
この調整は、押しボタン６の外面における調整ホイール４４を回すことによって行う。この操作によって、調整装置４２のねじ素子４０は回転する。ねじ素子４０の回転によって、ねじ台座は、案内収容部３４に沿ってねじ素子４０上を平行移動し、接触領域２６が抵抗素子２４とともに、第１案内空間１８内で新たに位置決めされる。
【００３６】
手工具装置の右回り動作で、押しボタン６の調整中の抵抗が増大しないよう圧力作用ポイントをなくすことが望ましい場合、接触領域２６を調整装置４２によって後壁５４まで移動することができる。このようにして、掛合素子１２と抵抗素子２４との間の圧力作用ポイントが、押しボタン６の最大負荷位置で生ずるようになる。
【図面の簡単な説明】
【００３７】
【図１】第１実施例のボタン変節点規定装置を有するスイッチ装置の斜視図である。
【図２】第２実施例のボタン変節点規定装置を有するスイッチ装置の側面図であって、図３のII‐II線上の断面を示す側面図である。
【図３】図２の実施例のボタン変節点規定装置が無負荷位置にある状態を外側から見た端面図である。
【図４】図２の実施例のボタン変節点規定装置が右回り動作の圧力作用ポイント位置にある状態を外側から見た端面図である。
【図５】図２の実施例のボタン変節点規定装置が左回り動作の最大負荷位置にある状態を外側から見た端面図である。
【符号の説明】
【００３８】
２  スイッチ装置
４  スイッチハウジング
６  押しボタン
８  ピン
１０  ボタン変節点規定装置
１２  掛合素子
１４  掛合領域
１６  第１案内連動部
１８  第１案内空間
２０  第２案内連動部
２２  第２案内空間
２４  抵抗素子
２６  接触領域
２８  底部
３０  ばね台座
３２  案内カム
３４  案内収容部
３８  ねじ孔
４０  ねじ素子
４２  調整装置
４４  調整ホイール
４６  作用ピン
４８  支持素子
５０  制御装置
５２  駆動モータ
【図１】
2004358656.tif 000003
【図２】
2004358656.tif 000004
【図３】
2004358656.tif 000005
【図４】
2004358656.tif 000006
【図５】
2004358656.tif 000007